(57)【特許請求の範囲】
【請求項１】
光を受光して、受光した光に関する所定の測光データを取得する測定動作を行う光センサ部と、
所定の基準面上に搭載され、該基準面に関する傾斜角度を検知する傾斜センサ部と、
前記傾斜角度に基づき前記光センサ部の傾斜状態を判定し、該傾斜状態が所定の条件を満足する際に前記光センサ部が取得した前記測光データを有効測光データとする測定制御処理を実行する測定制御部と、
前記傾斜センサ部を内部に有する傾斜センサユニットと、
前記光センサ部を内部に有する光センサユニットとを備え、
前記傾斜センサユニットと前記光センサユニットとは、前記傾斜センサ部と前記光センサ部とが予め設定された物理的位置関係となる状態で連結され、
前記測定制御部は、前記傾斜角度と、前記予め設定された物理的位置関係とに基づき前記光センサ部の傾斜状態を判定する、
測光装置。
【請求項２】
請求項１記載の測光装置であって、
前記傾斜センサユニットは前記測定制御部をさらに内部に有し、
前記測定制御部は、前記光センサ部の前記測定動作を制御する、
測光装置。
【請求項３】
請求項１記載の測光装置であって、
前記光センサユニットは前記測定制御部をさらに内部に有し、
前記測定制御部は、前記傾斜角度の情報を取得することが可能である、
測光装置。
【請求項４】
請求項１ないし請求項３のうち、いずれか１項に記載の測光装置であって、
前記測光データを表示する測定結果表示部をさらに備える、
測光装置。
【請求項５】
請求項１ないし請求項４のうち、いずれか１項に記載の測光装置であって、
前記傾斜角度を表示する傾斜角度表示部をさらに備える、
測光装置。
【請求項６】
請求項１ないし請求項５のうち、いずれか１項に記載の測光装置であって、
外部操作により前記所定の条件を設定可能な条件入力部をさらに備える、
測光装置。
【請求項７】
請求項１ないし請求項６のうち、いずれか１項記載の測光装置であって、
前記測定制御処理は前記傾斜状態が前記所定の条件を満足する際に、前記光センサ部による前記測定動作を実行させる処理を含み、
前記有効測光データは前記測光データを含む、
測光装置。
【請求項８】
請求項１ないし請求項７のうち、いずれか１項に記載の測光装置であって、
前記測光データを記憶する測光データ記憶部をさらに備え、
前記光センサ部は前記測定動作を連続的に実行し、
前記測定制御処理は前記傾斜状態が前記所定の条件を満足する際における前記測光データを前記測光データ記憶部に記憶させる記憶制御処理を含み、
前記有効測光データは前記測光データ記憶部に記憶された前記測光データを含む、
測光装置。
【請求項９】
請求項８記載の測光装置であって、
前記記憶制御処理は前記測光データに前記所定の条件を関連づけて前記測光データ記憶部に記憶させる処理を含む、
測光装置。
【請求項１０】
請求項４記載の測光装置であって、
前記光センサ部は前記測定動作を連続的に実行し、
前記測定制御処理は前記傾斜状態が前記所定の条件を満足する際における前記測光データを前記測定結果表示部に表示させる処理を含み、
前記有効測光データは前記所定の条件の満足後に前記測定結果表示部に表示される前記測光データを含む、
測光装置。
【請求項１１】
光を受光して、受光した光に関する所定の測光データを取得する測定動作を行う光センサ部と、所定の基準面に関する傾斜角度を検知する傾斜センサ部とを有する測光装置における測定制御用プログラムであって、
(a) 前記傾斜角度に基づき前記光センサ部の傾斜状態を判定するステップと、
(b) 前記ステップ(a) で判定した前記傾斜状態が所定の条件を満足するか否かを判定するステップと、
(c) 前記ステップ(b) にて前記傾斜状態が前記所定の条件を満足すると判定した際、前記光センサ部が取得した前記測光データを有効測光データとして決定するステップとを備え、
前記測光装置は、
前記所定の基準面上に搭載された前記傾斜センサ部を内部に有する傾斜センサユニットと、前記光センサ部を内部に有する光センサユニットとを含み、前記傾斜センサユニットと前記光センサユニットとは、前記傾斜センサ部と前記光センサ部とが予め設定された物理的位置関係となる状態で連結されており、
前記ステップ(a) 〜(c) は前記傾斜センサユニット及び前記光センサユニットのうち一方のユニットで実行され、
前記ステップ(a) は、
(a-1) 前記予め設定された物理的位置関係を認識するステップと、
(a-2) 前記傾斜角度に加え、前記予め設定された物理的位置関係に基づき前記光センサ部の傾斜状態を判定するステップとを含む、
測定制御用プログラム。
【請求項１２】
光を受光して、受光した光に関する所定の測光データを取得する測定動作を行う光センサ部と、
所定の基準面上に搭載され、該基準面に対する傾斜角度を検知する傾斜センサ部と、
前記傾斜角度に基づき前記光センサ部の傾斜状態を判定し、所定の条件を満足しない場合に、使用者が認識可能な所定の警告処理を実行する測定制御部と、
前記傾斜センサ部を内部に有する傾斜センサユニットと、
前記光センサ部を内部に有する光センサユニットとを備え、
前記傾斜センサユニットと前記光センサユニットとは、前記傾斜センサ部と前記光センサ部とが予め設定された物理的位置関係となる状態で連結され、
前記測定制御部は、前記傾斜角度と、前記予め設定された物理的位置関係とに基づき前記光センサ部の傾斜状態を判定する、
測光装置。
【請求項１３】
請求項１２記載の測光装置であって、
前記測定制御部は前記測定動作の実行開始時に使用者が認識可能な所定の報知処理を実行する、
測光装置。
【発明の詳細な説明】
【技術分野】
【０００１】
本発明は、光環境の測定をする照度センサ等の測光装置及び測定制御用プログラムに関するもので、特に、自動的に精度の高い測光データを取得するための技術に関する。
【背景技術】
【０００２】
照明器具による光や太陽光などによる光環境の測定をする装置（方法）として、照度、相関色温度、演色性などが測定できる色彩照度計が広く利用されている。例えば、特許文献１で開示する技術では、色彩照度計を持ち運び、測定器の設置場所に縛られず使用者の望んだ任意の場所で測定を可能にする装置として、可搬性のあるポータブル色彩照度計が提供されている。【０００３】
ところで、照明設計を行うためには、水平な面が受ける水平面照度（詳細は後述する）や、壁面など鉛直な面が受ける鉛直面照度（詳細は後述する）などを測定する。そのため、水平面照度や鉛直面照度を測定する方法として、水平器（水準器）を用いて、特許文献１等の照度計を水平あるいは鉛直に設置する方法が一般的に採用されている。【０００４】
ところが、本手法では、(i) 水平器（水準器）と照度計とが別体であるため作業性が悪い点、(ii)水平な置き場所などを用意する必要があるため使い勝手が悪い点、(iii)手持ちで測定する場合には手振れが生じるなど正確でない点、といった問題がある。【０００５】
一方、特許文献２で開示する技術では、携帯可能なキャビネットに、光が照射される照度センサと、キャビネットの基準姿勢に対する傾斜角度を検知する傾斜センサが配備され、キャビネットの傾斜角度と照度センサによって検知される照度相当値とを変数として、キャビネットの周囲の照度を表わす関係が規定された関係規定手段と、該関係規定手段に規定されている関係を用いて、該傾斜センサによって検知されたキャビネットの傾斜角度と、該照度センサによって検知された照度相当値から、キャビネットの周囲の照度を導出する方法が提案されている。
【先行技術文献】
【特許文献】
【０００６】
【特許文献１】特開２０００−２０５９４７号公報
【特許文献２】特開２０１０−３４９１４号公報
【発明の概要】
【発明が解決しようとする課題】
【０００７】
しかしながら、上記特許文献２の技術では、キャビネットの傾斜角度と照度センサによって検知される照度相当値とを変数としたキャビネットの周囲の照度を表わす関係を用いており、その関係は測定する周囲の配光条件（詳細は後述する）によって異なる。このため、当該関係を用いて照度を導出する場合、携帯端末機器の表示部の明るさを制御するという目的においては精度が十分であるが、前述の照明設計を行うための測定においては精度が必ずしも十分であるとは言えないという問題がある。【０００８】
また、水平面照度や鉛直面照度を測定するためには、照度計を水平あるいは鉛直に設置する必要があり、それには、別体の水平器（水準器）を使用しなければならないという前述の(i)の問題点が残存している。【０００９】
さらに、可搬性のあるポータブルタイプを対象としているがために、机や三脚などに固定して使用するというよりも、使用者が手で持った状態で測定することが考えられ、その場合に、より固定しにくいことから前述の(iii)の正確性の問題点も生じうる。【００１０】
本発明は、このような事情に鑑みてなされたものであり、前述の(i)〜(iii)の問題点を解消しつつ、自動的に精度の高い、所望の計測状態における有効測光データを得ることが可能な測光装置及び測定制御用プログラムを提供する。
【課題を解決するための手段】
【００１１】
本発明の態様による測光装置は、光を受光して、受光した光に関する所定の測光データを取得する測定動作を行う光センサ部と、所定の基準面上に搭載され、該基準面に関する傾斜角度を検知する傾斜センサ部と、前記傾斜角度に基づき前記光センサ部の傾斜状態を判定し、該傾斜状態が所定の条件を満足する際に前記光センサ部が取得した前記測光データを有効測光データとする測定制御処理を実行する測定制御部と、前記傾斜センサ部を内部に有する傾斜センサユニットと、前記光センサ部を内部に有する光センサユニットとを備え、前記傾斜センサユニットと前記光センサユニットとは、前記傾斜センサ部と前記光センサ部とが予め設定された物理的位置関係となる状態で連結され、前記測定制御部は、前記傾斜角度と、前記予め設定された物理的位置関係とに基づき前記光センサ部の傾斜状態を判定する。
【００１２】
また、本発明の態様による測光装置は、光を受光して、受光した光に関する所定の測光データを取得する測定動作を行う光センサ部と、所定の基準面上に搭載され、該基準面に対する傾斜角度を検知する傾斜センサ部と、前記傾斜角度に基づき前記光センサ部の傾斜状態を判定し、所定の条件を満足しない場合に、使用者が認識可能な所定の警告処理を実行する測定制御部と、前記傾斜センサ部を内部に有する傾斜センサユニットと、前記光センサ部を内部に有する光センサユニットとを備え、前記傾斜センサユニットと前記光センサユニットとは、前記傾斜センサ部と前記光センサ部とが予め設定された物理的位置関係となる状態で連結され、前記測定制御部は、前記傾斜角度と、前記予め設定された物理的位置関係とに基づき前記光センサ部の傾斜状態を判定する。
【発明の効果】
【００１３】
本発明の態様による測光装置では、使用者が所定の条件(所望の傾斜角度)を設定し、上記測定制御処理を実行することにより、自動的に精度の高い、所望の傾斜状態における有効測光データを得ることができる。
【図面の簡単な説明】
【００１４】
【図１】図１は第１実施形態に係る測光装置１００の外観を説明する模式図である。
【図２】図２は第１実施形態に係る測光装置１００の断面を説明する模式図である。
【図３】図３は水平面照度及び鉛直面照度について説明する図である。
【図４】図４は水平器（水準器）について例示する図である。
【図５】図５は光センサ部で測定される照度について説明する図である。
【図６】図６は第１実施形態に係る測光装置１００の基本的な機能構成例を示す図である。
【図７】図７は第１実施形態に係る測光装置１００において実現される基本動作を説明するフローチャートである。
【図８】図８は第２実施形態に係る測光装置１００Ａの構成例を説明する図である。
【図９】図９は第２実施形態に係る測光装置１００Ａの基本的な機能構成例を説明する図である。
【図１０】図１０は第２実施形態に係る測光装置１００Ａの別の構成例を説明する図である。
【図１１】図１１は第２実施形態に係る測光装置１００Ａにおいて実現される基本動作を説明するフローチャートである。
【図１２】図１２は第３実施形態に係る測光装置１００Ｂの基本的な機能構成例を説明する図である。
【図１３】図１３は第４実施形態に係る測光装置１００Ｃの外観を説明する模式図である。
【図１４】図１４は第４実施形態に係る測光装置１００Ｃの基本的な機能構成例を説明する図である。
【図１５】図１５は第５実施形態に係る測光装置１００Ｄの外観を説明する模式図である。
【図１６】図１６は第５実施形態に係る測光装置１００Ｄの基本的な機能構成例を説明する図である。
【図１７】図１７は傾斜角度表示部６０の表示例について説明する図である。
【図１８】図１８は傾斜角度表示部６０の表示例について説明する図である。
【図１９】図１９は第６実施形態に係る測光装置１００Ｅの基本的な機能構成例を説明する図である。
【図２０】図２０は第７実施形態に係る測光装置１００Ｆの基本的な機能構成例を説明する図である。
【図２１】図２１は第８実施形態に係る測光装置１００Ｇの基本的な機能構成例を説明する図である。
【図２２】図２２は測光装置１００Ｇの変形例の基本的な機能構成例を説明する図である。
【発明を実施するための形態】
【００１５】
以下、本発明の実施形態を図面に基づいて説明する。なお、図面においては同様な構成および機能を有する部分については同じ符号が付されており、下記説明では重複説明が省略される。また、図面は模式的に示されたものであり、各図における各種構造のサイズおよび位置関係等は正確に図示されたものではない。
【００１６】
また、説明の便宜上、直交するＸＹＺの３軸が適宜付されており、本明細書におけるＸＹ平面は常に水平面に一致する平面と定義する。
【００１７】
また、本明細書における「光センサ」という用語は、照度、相関色温度、演色性、紫外線強度などの光環境を測定するセンサを総称して呼ぶ。
【００１８】
＜１．第１実施形態＞
＜１−１．測光装置１００における外観及び使用態様の概要＞
図１は、本発明の第１実施形態に係る測光装置１００の外観について説明する模式図であり、図２は、測光装置１００の断面について説明する模式図である。
【００１９】
図１及び図２で示されるように、測光装置１００は、光を受光して、受光した光に関する所定の測光データを取得する光センサ部２０を有する共通ユニット４０から構成される。なお、共通ユニット４０としては、スマートフォン、携帯電話、ＰＤＡ、ゲーム機、パソコン等のＵＳＢ規格に準拠した汎用端末等の電子機器が考えられ、望ましくは片手にて操作可能な携帯性を有している。また、光センサ部２０には、目的とする光環境を測定することができるフォトセンサを機能部品として備えている。
【００２０】
共通ユニット４０は、後述する各構成要素（図６参照）が収容された箱形状のセンサ筐体部であり、光センサ部２０は、共通ユニット４０の搭載面（面）Ｂ（図２参照）上に＋Ｚ方向を測定面として配設されて構成されている。
【００２１】
＜１−２．光センサが受光する照度の一般的性質と前提事情＞
本発明の第１実施形態に係る測光装置１００の詳細を説明する原理として、光センサが受光する照度の一般的性質と、それに伴って生じる事情、すなわち従来技術で生じていた事情を説明しておく。
【００２２】
従来の照度計を用いて照度測定を行う使用態様および使用方法について説明する。図３は、照度測定を行う際の照度計の使用態様について例示する図であり、図３（ａ）は水平面照度の測定について説明する模式図であり、図３（ｂ）は鉛直面照度の測定について説明する模式図である。また、図４は、図３の照度測定を行う際に用いられる水平器（水準器）を示す図である。なお、図３で示される従来の照度計（測光装置）９００は、前述の光センサ部２０を有する共通ユニット４０と同様の構成等が考えられる。
【００２３】
水平面照度の測定に関しては、図３（ａ）で示されるように、照明器具ＬＧからの光Ｌが照射されている場合、例えば、机や床面などの水平面ＨＳに対して、照度計９００における光センサ部２０の搭載面Ｂが平行になるように設置して測定を行う。
【００２４】
これに対して、鉛直面照度の測定に関しては、図３（ｂ）で示されるように、照明器具ＬＧからの光Ｌが照射されている場合、机や床面などの水平面ＨＳと直角の関係にある壁などの鉛直面ＶＳに対して、照度計９００における光センサ部２０の搭載面Ｂが平行になるように設置して測定を行う。
【００２５】
このように、水平面照度や鉛直面照度の測定を行うに際しては、照度計９００における光センサ部２０の搭載面Ｂが水平面ＨＳや鉛直面ＶＳと平行の関係に位置するように設定しなければならない。そのため、従来の照度計９００のような測光装置を用いて測定を行う場合には、図４で示されるような水平器（水準器）９５０も常備して、水平器（水準器）９５０を駆使しながら照度計９００の設定位置（測定場所）を決定する必要があった。
【００２６】
次に、光センサ部２０にて受光される光の照度に関して以下説明する。
【００２７】
光センサ部２０にて受光される光の照度は、大別すると、センサ感度に関するファクタと、配光分布に関するファクタとに依存し、両ファクタを掛け合わせて積分したものに相当する。センサ感度に関するファクタとしては斜入射光特性（受光角特性）をもっている。斜入射光特性とは、測定面の照度の度合が、例えば、入射する光の角度が測定面の法線に対して０度の時は１００％となり、当該法線に対して９０度の時は０％となるという特性である。そして、この斜入射光特性に、配光分布に関するファクタすなわち光センサ部２０に入射する入射角度毎の光の強度を掛け合わせて積分したものが照度となる。
【００２８】
続いて、照度計９００を用いて照度を測定する場合に生じうる問題点を説明する。図５は、光センサ部２０の測定面にて測定される照度について説明する図であり、図５（ａ）は搭載面Ｂと水平面ＨＳとが一致する場合であり、図５（ｂ）は搭載面Ｂが水平面ＨＳに対してα°傾いた場合を示す図である。
【００２９】
図５（ａ）で示されるように、光センサ部２０が搭載された搭載面Ｂと水平面ＨＳとが一致する場合には、光センサ部２０の測定面が受光する範囲は、矢印ＡＲ１の範囲に相当し、水平面ＨＳ上部の１８０°の角度全てに入ってくる光の状態を測定している。このため、水平面照度を正確に測定することができる。
【００３０】
一方、図５（ｂ）で示されるように、照度を測定したい場所に水平な載置面がない場合、水平器（水準器）９５０を駆使しながら照度計９００の設定位置を決定しなければならないため、設定位置の誤差などが起因して、搭載面Ｂが水平面ＨＳに対してα°（α≠０）傾いた状態で測定される場合が往々にしてありうる。このように、照度計９００がα°傾いた場合には、水平面ＨＳからα°（矢印ＡＲ２側）の光が光センサ部２０の測定面に入ってこなくなるため、正確に水平面照度を測定した場合（図５（ａ）参照）の測定値に対して誤差が生じることになる。
【００３１】
前述のセンサ感度に相当する斜入射光特性は、工場出荷時などに既知であるが、測定している場面でのセンサに入射してくる配光分布は、測定している場面毎に異なる。光センサ部２０の測定面にて測定される照度は、前述の通り、センサ感度に関するファクタと、配光分布に関するファクタとの両ファクタに依存しており、光センサ部２０の測定では上述の積分値の情報しか取得することができない。例えば、照度計９００がα°傾いた場合（図５(ｂ)参照）、水平面からα°の光は光センサ部で受光されなくなり、逆側にα°の光がセンサ部で受光されるようになり、水平面照度を測定していた場合（図５（ａ）参照）と比較して測定値に差が生じることになる。しかし、光センサ部２０では、水平面照度の測定時に対して、照度計９００がα°傾くことによって、新たに入射した光の量（図５（ｂ）の矢印ＡＲ３の範囲）と入射しなくなった光の量（図５（ｂ）の矢印ＡＲ２の範囲）との差を求めることはできないため、傾きによって生じる測定値の違いを補正することはできない。
【００３２】
このように、光センサ部２０にて受光される光の照度は、前述の両ファクタを掛け合わせて積分したものであるために、両ファクタの寄与分については未知数である。したがって、水平面から傾いた照度計９００の測定値を補正して水平面照度の測定値を求めることは実質的に不可能と言える。
【００３３】
このような背景の下、傾斜センサを搭載し光センサ部２０の測定を制御することにより、自動的に精度の高い、所望の傾斜角度における有効測光データを得られるようにしたのが本願発明の測光装置及び測定制御用プログラムである。
【００３４】
＜１−３．測光装置１００の具体的構成及び基本的な機能構成＞
再度図１及び図２を参照して、測光装置１００の具体的構成について説明する。図１及び図２で示されるように、測光装置１００は、前述の光センサ部２０に加え、ＸＹ平面（水平面）に対する基準面Ｓの傾斜角度（図２では傾斜角度は０度）を検知する傾斜センサ部１０を備える。なお、傾斜センサとしては、加速度センサやジャイロスコープ等、傾斜角度を検知することが可能な種々のセンサを採用することができる。
【００３５】
図６は、本発明の第１実施形態に係る測光装置１００の基本的な機能構成例を示す図である。図６で示されるように、測光装置１００では、光センサ部２０と、傾斜センサ部１０とに加え、測定制御部３０を備える。この測定制御部３０は、傾斜センサ部１０によって得られた傾斜角度に基づき光センサ部２０の傾斜状態を判定し、該傾斜状態が、使用者が設定する所定の条件を満足する際に光センサ部２０が取得した該測光データを有効測光データとする測定制御処理を実行する。なお、所定の条件（設定条件）とは、水平（０度）、鉛直（９０度）等、使用者が測定したい傾斜角度のことであり、測定制御部３０内において予め設定されるものとする。
【００３６】
本実施形態における測定制御部３０の測定制御処理とは、傾斜状態が設定条件を満足する際に、光センサ部２０による測定動作を実行させる処理である。ここで、有効測光データは当該測光データとして設定される。具体的には、設定条件以外の状態（例えば、測光装置１００が設定条件である水平状態や鉛直状態から傾いている等）であれば、光環境の測定を行わずに、設定条件を満足した場合にだけ光環境を測定し、有効測光データとして設定される。
【００３７】
このように、共通ユニット４は、光センサ部２０、傾斜センサ部１０、及び、測定制御部３０を内部に有し、傾斜センサ部１０は基準面Ｓに搭載され、光センサ部２０は基準面Ｓに平行な搭載面Ｂ上に搭載される（図２及び図６参照）。なお、図２では、基準面Ｓと搭載面Ｂとは別の平面で示しているが、共通の平面であることが最も好ましい。
【００３８】
以上のように、第１実施形態に係る測光装置１００において、予め使用者が設定条件として所望の傾斜状態を設定し、測定制御部３０が上記測定制御処理を実行することにより、自動的に精度の高い、所望の傾斜状態における有効測光データを得ることができる。
【００３９】
さらに、傾斜センサ部１０を有しているため、従来のように、別体の水平器（水準器）９５０（図４参照）等の状態を視認して測定開始を実行する準備作業を必要としない。このため、使用者による操作負担の軽減を図ることができる。さらに、使用者が視認不可能な場所にて本測光装置１００を使用する場合においても精度の高い有効測光データの取得が可能となり、測定場所の自由度が向上する効果を奏する。
【００４０】
また、従来のように、光センサ部２０に加えて、別途、水平器（水準器）９５０を用意する作業が不要となる分、使用者のコスト、作業が軽減される。さらに 光センサ部２０と別体の水平器（水準器）９５０との面位置あわせの作業が不要となるため、使用者の作業が軽減される。
【００４１】
また、第１実施形態の測光装置１００は共通ユニット４０内に光センサ部２０及び傾斜センサ部１０が設けられるため、特に、傾斜センサ部１０を搭載する基準面Ｓと光センサ部２０を搭載する搭載面Ｂとが共通の平面であれば、光センサ部２０に傾斜センサ部１０を近接配置されることになり、その結果、光センサ部２０の傾斜角度を精度良く傾斜センサ部１０により検知することができる。
【００４２】
さらに、測定制御部３０は上記測定制御処理を実行することにより、光センサ部２０の測定動作の実行時間を必要最小限に抑えることができ、その結果、光センサ部２０を効率的に使用することができる。このため、測光装置１００全体の省エネルギー化を図ることができる。
【００４３】
＜１−４．測光装置１００の基本動作＞
続いて、第１実施形態に係る測光装置１００の動作を実現するための測定制御用プログラム（アプリケーションソフト）について説明する。すなわち、当該測定制御用プログラムは、光を受光して、受光した光に関する所定の測光データを取得する測定動作を行う光センサ部２０と、水平面に対する基準面Ｓの傾斜角度を検知する傾斜センサ部１０とを有する測光装置１００におけるプログラムであり、これを測光装置１００にインストールしてプログラムを実行することにより測定制御部３０を機能させることができる。
【００４４】
図７は、第１実施形態に係る測光装置１００の基本動作を説明するフローチャートである。なお、図７では、傾斜センサ部１０を搭載する基準面Ｓと光センサ部２０を搭載する搭載面Ｂとが共通または平行の平面であることを想定している。既に各部の個別機能の説明は行ったため（図６参照）、ここでは全体の流れのみ説明する。
【００４５】
図２および図７に示すように、まず、ステップＳ１において、傾斜センサ部１０が、ＸＹ平面（水平面）に対する基準面Ｓの傾斜角度を検知する。
【００４６】
ステップＳ２において、測定制御部３０が、ステップＳ１において検知された傾斜角度に基づき光センサ部２０の傾斜状態を判定する。
【００４７】
ステップＳ３において、測定制御部３０が、ステップＳ２において判定した傾斜状態が設定条件を満足するか否かを判定し、満足しない場合はステップＳ１に戻り、再度、測光装置の位置設定を行い、傾斜角度を検知する。一方、設定条件を満足すると判定した場合にはステップＳ４へ進む。具体的には、使用者が水平面照度を測定したいと考え、設定条件として水平面が設定されている場合（傾斜角度が０度に設定された場合）には、傾斜角度が０度を満足するか否かを判定し、また、設定条件として鉛直面が設定されている場合（傾斜角度が９０度に設定された場合）には、傾斜角度が９０度を満足するか否かを判定するほか、設定条件として所望の角度が予め設定されている場合には、傾斜角度が所望の角度を満足するか否かを判定する。
【００４８】
ここで、設定条件を満足するか否かの判定において、傾斜角度のズレを誤差として許容する範囲について説明する。
【００４９】
斜入射光特性のみを考慮した場合、測定値に対して３％程度の誤差を許容するならば、±１度の範囲は誤差として許容できる。したがって、傾斜角度が設定条件から±１度の範囲であればステップＳ３において“Ｙ”と判断し、±１度の範囲を超えると、ステップＳ３において“Ｎ”と判断する。あるいは、測定値に対して１０％程度の誤差を許容するならば、±３度の範囲は誤差として許容できるので、傾斜角度が設定条件から±３度の範囲であればステップＳ３において“Ｙ”と判断し、±３度の範囲を超えるとステップＳ３において“Ｎ”と判断する。
【００５０】
ステップＳ４において、測定制御部３０が、光センサ部２０による測定動作を実行させ、光センサ部２０が取得した測光データを有効測光データとして決定することで、本動作を終了する。
【００５１】
以上のように、第１実施形態に係る測光装置１００では、設定条件を使用者が所望する光センサ部の傾斜状態に予め設定して、測定制御用プログラムが上記ステップＳ１〜Ｓ４を実行することにより、自動的に精度の高い有効測光データを得ることができる。
【００５２】
＜２．第２実施形態＞
第１実施形態の測光装置１００では、傾斜センサ部１０と、光センサ部２０と、測定制御部３０とが共通のユニットで構成されたが、第２実施形態の測光装置１００Ａでは、これらの構成要素が分離され、複数のユニットから構成される。
【００５３】
＜２−１．測光装置１００Ａの具体的構成及び基本的な機能構成＞
図８は、第２実施形態に係る測光装置１００Ａの構成例を説明する図であり、また、図９は、測光装置１００Ａの基本的な機能構成例を説明する図である。
【００５４】
第２実施形態における測光装置１００Ａの概略構成及びその機能について第１実施形態と異なる点は、図８及び図９で示されるように、傾斜センサ部１０は基準面Ｓ上に搭載され、傾斜センサ部１０及び測定制御部３０Ａを内部に有する傾斜センサユニット４０Ａ１と、光センサ部２０を内部に有する光センサユニット４０Ａ２とを備える点である。
【００５５】
すなわち、傾斜センサユニット４０Ａ１と光センサユニット４０Ａ２とは、組合せた構造で可搬性を有し、かつ、傾斜センサ部１０と光センサ部２０とが予め設定された物理的位置関係（所定の傾斜角度差が設定された位置関係）となる状態で連結される。また、測定制御部３０Ａによって光センサ部２０の測定動作を制御することが可能である。測定制御部３０Ａは当該物理的位置関係を予め認識しており、傾斜角度に加え、当該物理的位置関係に基づき光センサ部２０の傾斜状態を判定する。なお、残余の構成及び機能は第１実施形態の測光装置１００と同様である。
【００５６】
なお、本実施形態における「物理的位置関係」は、図８で示すように「光センサユニット４０Ａ２の光センサ部２０の搭載面Ｂと、傾斜センサユニット４０Ａ１の傾斜センサ部１０が搭載される基準面Ｓとが平行な位置関係」であってもよいし、あるいは図１０で示すように光センサ部２０の搭載面Ｂと基準面Ｓとが予め設定された所定の傾斜角度差β°を保った位置関係であってもよい。
【００５７】
具体的に、図９で示されるように、測光装置１００Ａにおける光センサユニット４０Ａ２（４０Ａ２−１，４０Ａ２−２）は、インタフェース部１２Ａ２（１２Ａ２−１，１２Ａ２−２）と、光センサ部２０（２０−１，２０−２）と、これらを関連付けて動作させるための回路部である周辺回路部（不図示）を有し、傾斜センサユニット４０Ａ１とインタフェ一ス部１２Ａ１，１２Ａ２（１２Ａ２−１，１２Ａ２−２）を介して接続可能であり、光センサユニット４０Ａ２（４０Ａ２−１，４０Ａ２−２）と傾斜センサユニット４０Ａ１側との間で信号の授受を行なうことができる。
【００５８】
なお、図９では、光センサユニット４０Ａ２として２つの光センサユニット４０Ａ２−１，４０Ａ２−２を設けて構成しているが、傾斜センサユニット４０Ａ１と組み合わせて一体形成可能な条件下で、２つに限られず、構成上可能な限り複数設けることが可能である。ただし、携帯性を重視するのであれば、光センサユニット４０Ａ２は１つの場合が望ましい。
【００５９】
以上のように、第２実施形態に係る測光装置１００Ａにおいて、互いに接続された光センサユニット４０Ａ２と傾斜センサ部ユニット４０Ａ１との組合せ構造により、日常生活レベルでの可搬性を有する構成を実現しつつ、高精度な有効測光データを得ることができる。
【００６０】
また、光センサユニット４０Ａ２として、例えば、図９で示されるように複数の光センサユニット４０Ａ２−１，４０Ａ２−２を一つの傾斜センサユニット４０Ａ１に接続することにより、複数の光センサ部２０−１，２０−２による同時測光等が可能となり、作業性が向上する（図９参照）。例えば、測定ばらつきを考慮して複数回測定する場合などに、同時に複数の測光を行えるので、測定回数を減らすことが可能である。さらにまた、異なる種類の光センサ（例えば照度センサと紫外線センサなど）で同時にほぼ同じ場所で測ることも可能である。
【００６１】
＜２−２．測光装置１００Ａの基本動作＞
続いて、第２実施形態に係る測光装置１００Ａの動作を実現するための測定制御用プログラム（アプリケーションソフト）について説明する。前述のように、測光装置１００Ａは、基準面Ｓ上に搭載された傾斜センサ部１０を内部に有する傾斜センサユニット４０Ａ１と、光センサ部２０を内部に有する光センサユニット４０Ａ２とを含み、傾斜センサユニット４０Ａ１と光センサユニット４０Ａ２とは傾斜センサ部１０と光センサ部２０とが前述の物理的位置関係（基準面Ｓと搭載面Ｂとが平行）となる状態で連結されている。このような測光装置１００Ａに測定制御用プログラムをインストールしてプログラムを実行することにより、測定制御部３０Ａを機能させることができる。
【００６２】
図１１は、第２実施形態に係る測光装置１００Ａにおいて実現される基本動作を説明するフローチャートである。以下のステップＳＴ１〜ＳＴ５は傾斜センサユニット４０Ａ１及び光センサユニット４０Ａ２のうち一方のユニットで実行される。
【００６３】
なお、既に各部の個別機能の説明は行ったため（図９参照）、ここでは全体の流れのみ説明する。また、図１１のうち、ステップＳＴ２，ＳＴ４，ＳＴ５は図７のステップＳ１，Ｓ３，Ｓ４と同様であるため、その説明は省略する。
【００６４】
この第２実施形態における測光装置１００Ａでは、傾斜センサユニット４０Ａ１と、光センサユニット４０Ａ２とが別体として構成されるため、下記の工程が加わる。
【００６５】
すなわち、ステップＳＴ１では、測定制御部３０Ａが、傾斜センサ部１０と光センサ部２０（２０−１，２０−２）との前述の物理的位置関係を予め認識する。具体的には、傾斜センサ部１０と光センサ部２０との物理的位置関係を示すデータは光センサ部２０に予め記憶されているものであり、ステップＳＴ１でそのデータを光センサ部２０から測定制御部３０Ａが読み出す。
【００６６】
そして、第１実施形態と同様の工程であるステップＳＴ２を経て、図１１で示されるように、ステップＳＴ３にて、測定制御部３０Ａが、ステップＳＴ２における傾斜角度及び当該物理的位置関係に基づき光センサ部２０（２０−１，２０−２）の傾斜状態を判定する。第２実施形態では、光センサ部２０の搭載面Ｂと傾斜センサ部１０の基準面Ｓとが平行な物理的位置関係であるため、第１実施形態と同様、傾斜角度に基づき光センサ部２０の傾斜状態を判定することになる。
【００６７】
最後に、第１実施形態と同様の工程であるステップＳＴ４〜ステップＳＴ５を経て、本動作フローが終了される。
【００６８】
以上のように、第２実施形態に係る測光装置１００Ａに対応した測定制御用プログラムは、上記ステップＳＴ１〜ＳＴ５を実行することにより、光センサユニット４０Ａ２と傾斜センサユニット４０Ａ１との組合せ構造である測光装置１００Ａにおいて、高精度な有効測光データを得ることができる。
【００６９】
＜３．第３実施形態＞
図１２は、第３実施形態に係る測光装置１００Ｂの基本的な機能構成例を説明する図である。第３実施形態における測光装置１００Ｂの概略構成及びその機能について第１実施形態と異なる点は、傾斜センサ部１０は基準面Ｓ上に搭載され、傾斜センサ部１０を内部に有する傾斜センサユニット４０Ｂ１と、光センサ部２０及び測定制御部３０Ｂを内部に有する光センサユニット４０Ｂ２とを備える点である。また、第２実施形態と異なる点は、第２実施形態における測定制御部３０Ａが傾斜センサユニット４０Ａ１側に存在したのに対して、第３実施形態における測定制御部３０Ｂは光センサユニット４０Ｂ２側に存在する点である（図９及び図１２参照）。
【００７０】
すなわち、傾斜センサユニット４０Ｂ１と光センサユニット４０Ｂ２とは、傾斜センサ部１０と光センサ部２０とが前述の物理的位置関係となる状態で連結され、測定制御部３０Ｂは、傾斜センサ部１０によって検知された傾斜角度の情報を取得することが可能である。また、測定制御部３０Ｂは当該物理的位置関係を予め認識しており、傾斜角度に加え、当該物理的位置関係に基づき光センサ部２０の傾斜状態を判定する。なお、残余の構成及び機能は第２実施形態の測光装置１００Ａと同様である。
【００７１】
具体的に、図１２で示されるように、測光装置１００Ｂにおける光センサユニット４０Ｂ２（４０Ｂ２−１，４０Ｂ２−２）は、インタフェース部１２Ｂ２（１２Ｂ２−１，１２Ｂ２−２）と、光センサ部２０（２０−１，２０−２）と、測定制御部３０Ｂ（３０Ｂ−１，３０Ｂ−２）と、これらを関連付けて動作させるための回路部である周辺回路部（不図示）を有し、傾斜センサユニット４０Ｂ１とインタフェ一ス部１２Ｂ１，１２Ｂ２（１２Ｂ２−１，１２Ｂ２−２）を介して接続可能であり、光センサユニット４０Ｂ２（４０Ｂ２−１，４０Ｂ２−２）と傾斜センサユニット４０Ｂ１側との間で信号の授受を行なうことができる。
【００７２】
また、第２実施形態では、測定制御部３０Ａが傾斜センサユニット４０Ａ１側に存在したため、光センサユニット４０Ａ２として複数の光センサユニット４０Ａ２−１，４０Ａ２−２を用いて一様制御を行う場合は、同じ設定条件下で測定を行うのが通常であったが、第３実施形態では、測定制御部３０Ｂが複数の光センサユニット４０Ｂ２−１，４０Ｂ２−２に各々存在するため、測定制御部３０Ｂ−１，３０Ｂ−２ごとに、設定条件を各々変更して測定することが比較的簡単に可能となる。例えば、光センサユニット４０Ｂ２−１では水平面照度の測定を、光センサユニット４０Ｂ２−２では鉛直面照度の測定を同時に行うことが可能となる。
【００７３】
なお、図１２では、光センサユニット４０Ａ２として２つの光センサユニット４０Ｂ２−１，４０Ｂ２−２を設けて構成しているが、傾斜センサユニット４０Ｂ１と組み合わせて一体形成可能な条件下で、２つに限られず、構成上可能な限り複数設けることが可能である。ただし、携帯性を重視するのであれば、光センサユニット４０Ｂ２は１つの場合が望ましい。
【００７４】
以上のように、第３実施形態に係る測光装置１００Ｂにおいて、互いに接続される光センサユニット４０Ｂ２と傾斜センサ部ユニット４０Ｂ１との組合せにより、日常生活レベルでの可搬性を有する構成を実現しつつ、高精度な有効測光データを得ることができる。
【００７５】
また、光センサユニット４０Ｂ２として複数の光センサユニット４０Ｂ２−１，４０Ｂ２−２を一の傾斜センサユニット４０Ｂ１に接続することにより、複数の光センサ部２０−１，２０−２各々に含まれる測定制御部３０Ｂ−１、３０Ｂ−２によって多様な同時測光等が可能となり、作業性が向上する（図１２参照）。
【００７６】
＜４．第４実施形態＞
図１３は、第４実施形態に係る測光装置１００Ｃの具体的構成例を説明する図であり、図１４は、第４実施形態に係る測光装置１００Ｃの基本的な機能構成例を説明する図である。図１３及び図１４で示されるように、第４実施形態における測光装置１００Ｃの概略構成及びその機能について第１実施形態と異なる点は、測光データを表示する測定結果表示部５０をさらに備え、測定制御部３０が、測定結果表示部５０の制御がさらに可能な測定制御部３０Ｃに変更される点である。なお、残余の構成及び機能は第１実施形態の測光装置１００と同様である。
【００７７】
すなわち、図１４で示されるように、測光装置１００Ｃにおける共通ユニット４０Ｃは、前述の傾斜センサ部１０と、光センサ部２０とに加え、測定制御部３０Ｃと、測定結果表示部５０とを備える。また、光センサ部２０は測定動作を連続的に実行し、本実施形態における測定制御処理は、傾斜状態が使用者によって設定された条件（所定の条件）を満足する際における測光データを測定結果表示部５０に表示させる処理を意味する。すなわち、有効測光データは設定条件の満足後に測定結果表示部５０に表示された測光データに相当する。
【００７８】
測定結果表示部５０の表示態様としては、次の２つが考えられる。第１の態様では、光センサ部２０による光環境の測定は設定条件によらず常時行っているが、当該設定条件以外の状態（測光装置１００Ｃが設定条件に対し傾いている等）であれば、その結果の表示を測定結果表示部５０にて更新し続けて、当該設定条件を満足するときに表示内容を固定するように設定しても良い。第１の態様では、設定条件満足後に最終的に固定表示された測光データが有効測光データとなる。第２の態様は、設定条件以外の状態であれば、第１の態様と同様に光センサ部２０による測定を常時行い、その結果を測定結果表示部５０に表示せずに、当該設定条件を満足するときに測定結果表示部５０による表示をさせている。第２の態様では設定条件満足後に測定結果表示部５０にて表示された測光データが有効測光データとなる。
【００７９】
なお、測定結果表示部５０を構成する液晶ディスプレイ等は光センサ部２０が余分な光を受光しないよう反射型であることが好ましい。測定結果表示部５０は、光センサ部２０で取得した測定データの結果を表示する。もしくは、所望のアプリケーションソフトにてデータ解析を行ない、解析結果に応じた表示をしてもよい。
【００８０】
また、測光装置１００Ｃにおいて、測定結果表示部５０は、上記のように第１実施形態における測光装置１００に備えて構成できるほか、第２実施形態における測光装置１００Ａまたは第３実施形態における測光装置１００Ｂの何れかに備えて構成することも可能である。そして、測定結果表示部５０を測光装置１００Ａに適用する場合においては、傾斜センサユニット４０Ａ１または光センサユニット４０Ａ２の何れに備えて構成されてもよい。また、測定結果表示部５０を測光装置１００Ｂに適用する場合においても、傾斜センサユニット４０Ｂ１または光センサユニット４０Ｂ２の何れに備えて構成されてもよい。
【００８１】
以上のように、第４実施形態に係る測光装置１００Ｃにおいて、使用者は測定結果表示部５０から測光データを認識することができるため、操作性・作業性が向上する。
【００８２】
また、測定制御部３０Ｃは上記測定制御処理を実行することにより、測定結果表示部５０への表示動作の実行時間を必要最小限に抑える（特に、上記第２の態様を採用した場合）ことにより、測定結果表示部５０を効率的に使用することができる結果、測光装置１００Ｃ全体の省エネルギー化を図ることができる。
【００８３】
＜５．第５実施形態＞
図１５は、第５実施形態に係る測光装置１００Ｄの具体的構成例を説明する図であり、図１６は、第５実施形態に係る測光装置１００Ｄの基本的な機能構成例を説明する図である。図１５及び図１６で示されるように、第５実施形態における測光装置１００Ｄの概略構成及びその機能について第１実施形態と異なる点は、傾斜角度を表示する傾斜角度表示部６０をさらに備え、測定制御部３０が、傾斜角度表示部６０を制御するように測定制御部３０Ｄに変更される点である。なお、残余の構成及び機能は第１実施形態の測光装置１００と同様である。
【００８４】
すなわち、図１６で示されるように、測光装置１００Ｄにおける共通ユニット４０Ｄは、前述の傾斜センサ部１０と、光センサ部２０とに加え、測定制御部３０Ｄと、傾斜角度表示部６０とを備える。なお、傾斜角度表示部６０を構成する液晶ディスプレイ等は、光センサ部２０による測定精度を考慮すると、測定結果表示部５０と同様に反射型であることが好ましい。
【００８５】
なお、測光装置１００Ｄにおいて、傾斜角度表示部６０は、上記のように第１実施形態における測光装置１００に備えて構成できるほか、第２実施形態における測光装置１００Ａまたは第３実施形態における測光装置１００Ｂの何れかに備えて構成することも可能である。そして、傾斜角度表示部６０を測光装置１００Ａに適用する場合においては、傾斜センサユニット４０Ａ１または光センサユニット４０Ａ２の何れに備えて構成されてもよい。また、傾斜角度表示部６０を測光装置１００Ｂに適用する場合においても、傾斜センサユニット４０Ｂ１または光センサユニット４０Ｂ２の何れに備えて構成されてもよい。加えて、第４実施形態の測定結果表示部５０として、傾斜角度表示部６０の機能を追加する構成も考えられる。
【００８６】
＜５−１．傾斜角度表示部６０における表示例＞
続いて、測光装置１００Ｄにおける傾斜角度表示部６０の表示例について説明する。図１７及び図１８は、傾斜角度表示部６０の表示例を説明する図である。図１７（ａ）〜図１７（ｃ）は、測光装置１００ＤのＸＺ平面を＋Ｙ方向から見た図であり、図１７（ｄ）〜図１７（ｆ）は、図１７（ａ）〜図１７（ｃ）に対応する測光装置１００Ｄの傾斜角度を傾斜角度表示部６０にてそれぞれ表示される例を示した図である。
【００８７】
図１７で示されるように、図１７（ａ）では、測光装置１００Ｄにおける光センサ部２０の搭載面Ｂの＋Ｘ軸方向側が、水平面（ＸＹ平面）ＨＳに対して＋Ｚ軸方向に傾いているため、図１７（ｄ）では、傾斜角度表示部６０にはこれに対応した座標に印ＰＸ１が表示される。また、図１７（ｂ）では、測光装置１００Ｄの搭載面Ｂが水平面ＨＳと一致しているため、図１７（ｅ）では、傾斜角度表示部６０にはこれに対応した座標に印Ｐ０が表示される。さらに、図１７（ｃ）では、測光装置１００Ｄにおける光センサ部２０の搭載面Ｂの＋Ｘ軸方向側が、水平面ＨＳに対して−Ｚ軸方向に傾いているため、図１７（ｆ）では、傾斜角度表示部６０にはこれに対応した座標に印ＰＸ２が表示される。
【００８８】
これに対して、図１８（ａ）〜図１８（ｃ）は、測光装置１００ＤのＹＺ平面を＋Ｘ方向から見た図であり、図１８（ｄ）〜図１８（ｆ）は、図１８（ａ）〜図１８（ｃ）に対応する測光装置１００Ｄの傾斜角度を傾斜角度表示部６０にてそれぞれ表示される例を示した図である。
【００８９】
図１８で示されるように、図１８（ａ）では、測光装置１００Ｄの光センサ部２０の搭載面Ｂの＋Ｙ軸方向側が、水平面ＨＳに対して＋Ｚ軸方向に傾いているため、図１８（ｄ）では、傾斜角度表示部６０にはこれに対応した座標に印ＰＹ１が表示される。また、図１８（ｂ）では、測光装置１００Ｄの光センサ部２０の搭載面Ｂが水平面ＨＳと一致しているため、図１８（ｅ）では、傾斜角度表示部６０にはこれに対応した座標に印Ｐ０が表示される。さらに、図１８（ｃ）では、測光装置１００Ｄの光センサ部２０の搭載面Ｂの＋Ｙ軸方向側が、水平面ＨＳに対して−Ｚ軸方向に傾いているため、図１８（ｆ）では、傾斜角度表示部６０にはこれに対応した座標に印ＰＹ２が表示される。
【００９０】
以上のように、第５実施形態に係る測光装置１００Ｄにおいて、使用者は傾斜角度表示部６０から傾斜角度を認識することができるため、操作性・作業性が向上する。
【００９１】
＜６．第６実施形態＞
図１９は、第６実施形態に係る測光装置１００Ｅの基本的な機能構成例を説明する図である。図１９で示されるように、第６実施形態における測光装置１００Ｅの概略構成及びその機能について第１実施形態と異なる点は、外部操作により使用者の所望の設定条件（所定の条件）を設定可能な条件入力部７０をさらに備え、測定制御部３０が、条件入力部７０に入力された条件に従って制御するように測定制御部３０Ｅに変更される点である。なお、残余の構成及び機能は第１実施形態の測光装置１００と同様である。
【００９２】
すなわち、図１９で示されるように、測光装置１００Ｅにおける共通ユニット４０Ｅは、前述の傾斜センサ部１０と、光センサ部２０とに加え、測定制御部３０Ｅと条件入力部７０とを備える。
【００９３】
例えば、使用者が水平面照度を測定したい場合には、使用者は外部操作を介して条件入力部７０に傾斜状態が０度（水平）の設定条件を入力することで、測定制御部３０Ｅは傾斜状態が０度の条件を満足する際に測定制御処理を実行する。また、使用者が鉛直面照度を測定したい場合には、使用者は外部操作を介して条件入力部７０に傾斜状態が９０度（鉛直）の設定条件を入力することで、測定制御部３０Ｅは傾斜状態が９０度の条件を満足する際に測定制御処理を実行する。さらに、水平面照度や鉛直面照度以外の傾斜角度において測定をしたい場合においても、使用者は条件入力部７０を用いた外部操作により所望の傾斜角度を入力することで、測定制御部３０Ｅは当該傾斜角度の条件を満足する際に測定制御処理を実行することが可能である。
【００９４】
なお、測光装置１００Ｅにおいて、条件入力部７０は、上記のように第１実施形態における測光装置１００に備えて構成できるほか、第２実施形態における測光装置１００Ａまたは第３実施形態における測光装置１００Ｂの何れかに備えて構成することも可能である。そして、条件入力部７０を測光装置１００Ａに適用する場合においては、傾斜センサユニット４０Ａ１または光センサユニット４０Ａ２の何れに備えて構成されてもよい。また、条件入力部７０を測光装置１００Ｂに適用する場合においても、傾斜センサユニット４０Ｂ１または光センサユニット４０Ｂ２の何れに備えて構成されてもよい。さらに、第４及び第５実施形態の測光装置１００Ｃ及び１００Ｄに条件入力部７０を追加する構成も考えられる。
【００９５】
以上のように、第６実施形態に係る測光装置１００Ｅにおいて、設定条件を使用者が任意に設定できるため、設定条件の自由度が向上する。
【００９６】
＜７．第７実施形態＞
図２０は、第７実施形態に係る測光装置１００Ｆの基本的な機能構成例を説明する図である。図２０で示されるように、第７実施形態における測光装置１００Ｆの概略構成及びその機能について第１実施形態と異なる点は、測光データを記憶する測光データ記憶部８０をさらに備え、測定制御部３０が、測光データ記憶部８０を制御するように測定制御部３０Ｆに変更される点である。なお、残余の構成及び機能は第１実施形態の測光装置１００と同様である。
【００９７】
すなわち、図２０で示されるように、測光装置１００Ｆにおける共通ユニット４０Ｆは、前述の傾斜センサ部１０と、光センサ部２０とに加え、測定制御部３０Ｆと、測光データ記憶部８０とを備える。また、光センサ部２０は測定動作を連続的に実行し、測定制御処理は、傾斜状態が使用者によって設定された条件（所定の条件）を満足する際における測光データを測光データ記憶部８０に記憶させる記憶制御処理をさらに行う。ここで、有効測光データは測光データ記憶部８０に記憶された測光データを意味する。
【００９８】
また、測定制御部３０Ｆの記憶制御処理としては、当該測光データに設定条件を関連づけて測光データ記憶部８０に記憶させる処理であることが好ましい。
【００９９】
上述のように、測光データ記憶部８０の記憶制御処理では、光センサ部２０による光環境の測定は設定条件によらず常時行い、設定条件以外の状態（例えば、測光装置１００Ｆが設定条件から傾いている等）であれば、その結果を記憶せずに、設定条件を満足するときに記憶する。
【０１００】
また、測光装置１００Ｆにおいて、測光データ記憶部８０は、上記のように第１実施形態における測光装置１００に備えて構成できるほか、第２実施形態における測光装置１００Ａまたは第３実施形態における測光装置１００Ｂの何れかに備えて構成することも可能である。そして、測光データ記憶部８０を測光装置１００Ａに適用する場合においては、傾斜センサユニット４０Ａ１または光センサユニット４０Ａ２の何れに備えて構成されてもよい。また、測光データ記憶部８０を測光装置１００Ｂに適用する場合においても、傾斜センサユニット４０Ｂ１または光センサユニット４０Ｂ２の何れに備えて構成されてもよい。さらに、第４〜第６実施形態の測光装置１００Ｃ〜１００Ｅに測光データ記憶部８０を追加する構成も勿論考えられる。
【０１０１】
以上のように、第７実施形態に係る測光装置１００Ｆにおいて、測定制御部３０Ｆは上記測定制御処理を実行することにより、測光データ記憶部８０への記憶動作の実行時間を必要最小限に抑えることにより、測光データ記憶部８０を効率的に使用することができる結果、装置全体の省エネルギー化を図ることができる。
【０１０２】
また、測光データ記憶部８０に測光データ（有効測光データ）を設定条件に関連づけて記憶する方法を採用すれば、使用者は測光データ記憶部８０に記憶させた測定データの読み出し時に設定条件（例えば、水平面照度か鉛直面照度なのか等）を併せて読み出すことができるため、設定条件を別途記録する必要がなくなる分、作業性が向上する。
【０１０３】
＜８．第８実施形態＞
図２１は、第８実施形態に係る測光装置１００Ｇの基本的な機能構成例を説明する図である。図２１で示されるように、第８実施形態における測光装置１００Ｇの概略構成及びその機能について第１実施形態と異なる点は、測定制御部３０が、傾斜角度が所定の条件から外れると警告を行う測定制御部３０Ｇに代替されて構成される点である。なお、残余の構成及び機能は第１実施形態の測光装置１００と同様である。
【０１０４】
すなわち、測光装置１００Ｇにおける共通ユニット４０Ｇは、前述の傾斜センサ部１０と、光センサ部２０とに加え、測定制御部３０Ｇを備える。そして、測定制御部３０Ｇでは、傾斜角度に基づき光センサ部２０の傾斜状態を判定し、該傾斜状態が使用者によって設定された条件を満足すると光センサ部２０に測定動作を実行させ、測定動作実行中に設定条件を満足しない場合に、使用者が認識可能な所定の警告処理を実行する（図２１参照）。
【０１０５】
また、使用者が認識可能な警告処理としては、例えば、聴覚情報としては、ブザーや音声などが挙げられ、視覚情報としては、表示画面に、インジゲータ、プログレスバー表示、数値による表示、モデル図による表示などが挙げられ、触覚情報としては、ユニットの振動動作などが挙げられる。
【０１０６】
設定条件を満足するか否かの判定に基づき警告処理を実行するかどうかにおいて、傾斜角度のズレを誤差として許容する範囲については、上述の設定条件満足範囲（３％程度の誤差を許容するならば、±１度の範囲。１０％程度の誤差を許容するならば、±３度の範囲など）を適用することができる。
【０１０７】
以上のように、第８実施形態に係る測光装置１００Ｇにおける測定制御部３０Ｇは上記所定の警告処理を実行する。このため、設定条件を使用者が所望する光センサ部２０の傾斜状態に予め設定しておけば、使用者は測定動作実行中に上記警告処理を受けないように当該測光装置１００Ｇを操作することにより、精度の高い測光データを比較的簡単に得ることができる。
【０１０８】
また、第１〜第７実施形態においても上述した誤差許容範囲を含めて傾斜状態が設定条件を満足するか否かを判定してもよい。
【０１０９】
＜８−１．測光装置１００Ｇの変形例＞
続いて、第８実施形態に係る測光装置１００Ｇの変形例である測光装置１００Ｇ’について説明する。図２２は、測光装置１００Ｇ’の基本的な機能構成例を説明する図である。図２２で示されるように、測光装置１００Ｇ’では、測定制御部３０Ｇ’は上述の警告処理に加え、測定動作の実行開始時に使用者が認識可能な所定の報知処理を実行する。なお、残余の構成及び機能は第８実施形態の測光装置１００Ｇと同様である。
【０１１０】
すなわち、測光装置１００Ｇ’における共通ユニット４０Ｇ’は、前述の傾斜センサ部１０と、光センサ部２０とに加え、測定制御部３０Ｇ’を備える。そして、測定制御部３０Ｇ’では、上述の警告処理を実行することに加え、測定動作の実行開始時に使用者が認識可能な所定の報知処理を実行する（図２２参照）。
【０１１１】
また、使用者が認識可能な報知処理としては、上記の警告処理とは区別できるものであり、例えば、聴覚情報としては、音声などが挙げられ、視覚情報としては、表示画面に、インジゲータ、プログレスバー表示、数値による表示、モデル図による表示などが挙げられ、触覚情報としては、ユニットの振動動作などが挙げられる。
【０１１２】
以上のように、第８実施形態に係る測光装置１００Ｇ’における測定制御部３０Ｇ’は、所定の報知処理により使用者は測光装置１００Ｇ’が測定動作の実行開始タイミングを容易に認識することができるため、測定動作開始後は上記警告処理を受けないように測光装置１００Ｇ’を操作することにより、精度の高い測光データを比較的簡単に得ることができる。
【０１１３】
＜９．変形例＞
以上、本発明の実施形態について説明してきたが、本発明は、上記実施形態に限定されるものではなく、様々な変形が可能である。
【０１１４】
※  本実施形態では、測光装置１００，１００Ａ〜１００Ｇ，１００Ｇ’を個別に実施されるように各実施形態に分けて記載したが、これらの個別機能は、互いに矛盾しない限り、相互に組み合わせてもよい。
【０１１５】
※  本実施形態に係る光センサユニットは、目的とする光環境を測定する機能に加え、汎用端未の備える機能（表示装置、スピーカー、プリンタ）、外部送信機能（電話、ＬＡＮ、Ｉｎｔｅｒｎｅｔ網との接続）を組み合わせた使用も可能である。
【符号の説明】
【０１１６】
１０  傾斜センサ部
２０  光センサ部
３０，３０Ａ〜３０Ｇ，３０Ｇ’  測定制御部
４０，４０Ｃ〜４０Ｇ，４０Ｇ’  共通ユニット
４０Ａ１，４０Ｂ１  傾斜センサユニット
４０Ａ２，４０Ｂ２  光センサユニット
５０  測定結果表示部
６０  傾斜角度表示部
７０  条件入力部
８０  測光データ記憶部
１００，１００Ａ〜１００Ｇ，１００Ｇ’  測光装置
【図１】
0005896018.tif 000002
【図２】
0005896018.tif 000003
【図３】
0005896018.tif 000004
【図４】
0005896018.tif 000005
【図５】
0005896018.tif 000006
【図６】
0005896018.tif 000007
【図７】
0005896018.tif 000008
【図８】
0005896018.tif 000009
【図９】
0005896018.tif 000010
【図１０】
0005896018.tif 000011
【図１１】
0005896018.tif 000012
【図１２】
0005896018.tif 000013
【図１３】
0005896018.tif 000014
【図１４】
0005896018.tif 000015
【図１５】
0005896018.tif 000016
【図１６】
0005896018.tif 000017
【図１７】
0005896018.tif 000018
【図１８】
0005896018.tif 000019
【図１９】
0005896018.tif 000020
【図２０】
0005896018.tif 000021
【図２１】
0005896018.tif 000022
【図２２】
0005896018.tif 000023